(57)【要約】【課題】プレートの組付性を向上させる。【解決手段】先端に掘削用の４本の爪２２が設けられたバケット本体２０に固定されるプレートとしての除貝用樹脂板３０には、リブ３２が設けられると共に４本の爪２２にボルト２４を用いて組み付けられるボルト穴が形成されてなるから、除貝用樹脂板３０の補強用の部材を必要とすることなく、組付対象の部品数を抑えて除貝用樹脂板３０を爪２２に直接固定することができ、プレートとしての除貝用樹脂板３０の組付性を向上させることができる。【選択図】図１
2012002011.tif 000002
【特許請求の範囲】
【請求項１】
建設重機に取り付けられるショベルバケットであって、
先端に掘削用の複数の爪が設けられたバケット本体と、
一辺が平面に対して線接触するよう前記複数の爪の先端からはみ出た位置で前記バケット本体に固定されたプレートと
を備え、
前記プレートは、複数のリブが設けられると共に前記複数の爪に当接した状態で固定される固定部が形成されてなる
ことを特徴とするショベルバケット。
【請求項２】
前記プレートは、前記複数のリブとして、前記一辺に平行となるよう配置された第１のリブと、該第１のリブに直交するよう配置された複数の第２のリブとが設けられてなる請求項１記載のショベルバケット。
【請求項３】
請求項２記載のショベルバケットであって、
前記複数の爪は、前記プレートとの当接面が矩形状に形成され、
前記プレートは、前記第１のリブと前記第２のリブとが前記複数の爪の当接面がはまるよう配置されてなる
ショベルバケット。
【請求項４】
回転軸が前記一辺に平行となるよう配置されたローラーと、該ローラーが初期位置で前記一辺からはみ出ると共に該一辺に直交する方向に回転可能な状態で前記プレートの面上をスライドするよう前記ローラーを付勢するスプリングとを有するローラー機構を備える請求項１ないし３いずれか１項に記載のショベルバケット。
【請求項５】
請求項１ないし４いずれか１項に記載のショベルバケットであって、
前記複数の爪は、取付孔が形成され、
前記プレートは、前記固定部として、前記複数の爪の取付孔に対応する位置に取付孔が形成され、前記両取付孔にボルトを通して固定されてなる
ショベルバケット。
【発明の詳細な説明】
【技術分野】
【０００１】
本発明は、建設重機に取り付けられるショベルバケットに関する。
【背景技術】
【０００２】
従来より、油圧ショベルなどの建設重機に取り付けられ、火力発電所の導水路などの壁面に付着する貝類を掻き落とすためのショベルバケットが提案されている（例えば、特許文献１参照）。このショベルバケットには、バケット本体に取付座がボルト締めにより取り付けられ、この取付座に除貝用の薄板状のプレートがボルト締めにより取り付けられている。そして、薄板状のプレートを壁面に押し付けながらショベルバケットを移動させることにより、壁面に付着した貝類を掻き取るものとしている。
【先行技術文献】
【特許文献】
【０００３】
【特許文献１】特開平７−３４４８１号公報
【発明の概要】
【発明が解決しようとする課題】
【０００４】
しかしながら、上述したショベルバケットにおいては、取付座と共に薄板状のプレートを取り付ける必要があるため、取り付けに必要なボルトの数や部品数が増加して取り付けに時間を要するものとなる。一方で、薄板状のプレートをバケット本体に直接取り付けることも考えられるが、プレートは貝類を掻き取る際に壁面に押し付けられるため、その際に掛かる力によりプレートが割れてしまうおそれがある。
【０００５】
本発明のショベルバケットは、プレートの組付性を向上させることを主目的とする。
【課題を解決するための手段】
【０００６】
本発明のショベルバケットは、上述の主目的を達成するために以下の手段を採った。
【０００７】
本発明のショベルバケットは、
建設重機に取り付けられるショベルバケットであって、
先端に掘削用の複数の爪が設けられたバケット本体と、
一辺が平面に対して線接触するよう前記複数の爪の先端からはみ出た位置で前記バケット本体に固定されたプレートと
を備え、
前記プレートは、複数のリブが設けられると共に前記複数の爪に当接した状態で固定される固定部が形成されてなる
ことを特徴とする。
【０００８】
この本発明のショベルバケットでは、先端に掘削用の複数の爪が設けられたバケット本体に固定されたプレートには、複数のリブが設けられると共に前記複数の爪に当接した状態で固定される固定部が形成されてなる。複数のリブを設けることにより、プレートの強度を向上させることができ、プレートが平面に押し付けられた際にプレートが割れるのを防止することができる。この結果、補強用の部品を取り付けることなく、バケット本体の爪にプレートを直接固定することができ、プレートの組付性を向上させることができる。
【０００９】
こうした本発明のショベルバケットにおいて、前記プレートは、前記複数のリブとして、前記一辺に平行となるよう配置された第１のリブと、該第１のリブに直交するよう配置された複数の第２のリブとが設けられてなるものとすることもできる。こうすれば、一方向のみにリブが設けられるものに比してプレートの強度をより向上させることができ、プレートが割れるおそれをより低減させることができる。この態様の本発明のショベルバケットにおいて、前記複数の爪は、前記プレートとの当接面が矩形状に形成され、前記プレートは、前記第１のリブと前記第２のリブとが前記複数の爪の当接面がはまるよう配置されてなるものとすることもできる。こうすれば、爪に固定する際のプレートの位置決めが容易となるから、プレートの組付性をより向上させることができる。
【００１０】
また、本発明のショベルバケットにおいて、回転軸が前記一辺に平行となるよう配置されたローラーと、該ローラーが初期位置で前記一辺からはみ出ると共に該一辺に直交する方向に回転可能な状態で前記プレートの面上をスライドするよう前記ローラーを付勢するスプリングとを有するローラー機構を備えるものとすることもできる。こうすれば、プレートが平面に押し付けられた際に、プレートに掛かる力をローラーで受けて分散させることができるから、プレートが割れるおそれをさらに低減させることができる。
【００１１】
さらに、本発明のショベルバケットにおいて、前記複数の爪は、取付孔が形成され、前記プレートは、前記固定部として、前記複数の爪の取付孔に対応する位置に取付孔が形成され、前記両取付孔にボルトを通して固定されてなるものとすることができる。こうすれば、プレートの脱着が容易となるので、組付性をさらに向上させることができる。
【図面の簡単な説明】
【００１２】
【図１】除貝用樹脂板３０が固定されたショベルバケット１０の斜視図である。
【図２】ショベルバケット１０の正面図である。
【図３】ショベルバケット１０の側面図である。
【図４】除貝用樹脂板３０の構成を示す構成図である。
【図５】本実施形態のショベルバケット１０が取り付けられた油圧ショベル１００による除貝作業の様子を示す説明図である。
【図６】変形例のショベルバケット１０Ａの側面図である。
【発明を実施するための形態】
【００１３】
次に、本発明の実施の形態を図面を用いて説明する。図１は、本発明の一実施形態である除貝用樹脂板３０が固定されたショベルバケット１０の斜視図であり、図２は、ショベルバケット１０の正面図であり、図３は、ショベルバケット１０の側面図であり、図４は、除貝用樹脂板３０の構成を示す構成図である。
【００１４】
実施例のショベルバケット１０は、図示しない油圧ショベルなどの建設重機のアーム１０２に取り付けられるバケット本体２０と、バケット本体２０に固定される除貝用樹脂板３０とを備える。バケット本体２０は、先端側に４本の爪２２が形成されると共に後端側に取付ピン２８を用いてアーム１０２に取り付けられるためのブラケット２６が形成されている。また、除貝用樹脂板３０は、ボルト２４とナット２５，ワッシャーを用いてバケット本体２０の４本の爪２２にボルト締めにより組み付けられて固定されている。
【００１５】
爪２２は、それぞれ、根元から先端まで幅が略一定であって、先端に向かうほど厚み方向が先細りとなるようテーパ形状に形成され、また、除貝用樹脂板３０に当接する当接面が矩形状に形成されている（図２，３参照）。また、爪２２には、除貝用樹脂板３０を組み付ける際のボルト２４を通すためのボルト穴２２ａが形成されている。なお、除貝用樹脂板３０が固定されていない状態では、爪２２は通常の掘削用の爪として機能する。
【００１６】
除貝用樹脂板３０の構造について、図４に基づいて説明する。図４（ａ）は除貝用樹脂板３０の上面図であり、図４（ｂ）は除貝用樹脂板３０の下面図であり、図４（ｃ）は図４（ｂ）のＡ−Ａ断面図である。この除貝用樹脂板３０は、本実施形態では外周縁付きの矩形状の樹脂製のプレートとして構成されている。除貝用樹脂板３０は、その長辺の方向がバケット本体２０の幅方向（図２，図４における横方向）に平行になると共に爪２２の先端からはみ出た状態で組み付けられている。このため、除貝用樹脂板３０の１つの長辺を平面に線接触させることが可能となっている。また、除貝用樹脂板３０は、４つのボルト穴３０ａが形成されると共に下面に図４中縦横に延びるリブ３２が設けられている。このリブ３２は、長辺に平行となるよう設けられた２本の横リブ３２ａと、この横リブ３２ａに直交するよう設けられた８本の縦リブ３２ｂとからなる。また、この横リブ３２ａと縦リブ３２ｂとにより囲まれる矩形状の領域が爪２２の矩形状の当接面がはまる大きさとなるよう、横リブ３２ａと縦リブ３２ｂとが配置されている。このため、除貝用樹脂板３０を下面を爪２２への当接面としてバケット本体２０に組み付けると、横リブ３２ａ間および縦リブ３２ｂ間に各爪２２がそれぞれはまり込んで、爪２２のボルト穴２２ａに除貝用樹脂板３０の４つのボルト穴３０ａが対向する位置となる。このようにリブ３２が配置されることにより、除貝用樹脂板３０をバケット本体２０に組み付ける際の位置決めを容易に行なって、スムーズにボルト２４を通すことができる。
【００１７】
次に、こうして構成された本実施形態のショベルバケット１０を用いた作業の一例として除貝作業について説明する。図５は、本実施形態のショベルバケット１０が取り付けられた油圧ショベル１００での除貝作業の様子を示す説明図である。この除貝作業は、例えば、発電所の導水路の壁面に付着したカワヒバリ貝などの貝を除去するために行なわれる。この除貝作業は、ショベルバケット１０の先端に取り付けられた除貝用樹脂板３０を除去したい部分より上方の壁面に当接させ、除貝用樹脂板３０を壁面に押し付けながらアーム１０２を作動させてショベルバケット１０を下方へ移動させることにより行なわれる。
【００１８】
ここで、このような除貝作業時には、壁面への押付力に対する反力が除貝用樹脂板３０に作用するため、押付力の程度によっては除貝用樹脂板３０が割れるおそれがある。特に、ショベルバケット１０の爪２２の間となる部分や爪２２の先端からはみ出た部分において割れが発生しやすいものとなる。そのような割れを防止するため、除貝用樹脂板３０とは別に補強用の部材などを組み付けることも考えられる。ただし、組み付けの対象となる部品やボルト，ナットなどが増加することになるため、除貝用樹脂板３０の組付性が低下することになる。このため、本実施形態では、除貝用樹脂板３０に横リブ３２ａおよび縦リブ３２ｂからなるリブ３２を設けておき、除貝作業時における割れの発生を防止しているのである。これにより、割れ対策としての補強用の部材を必要とすることなく、組付対象の部品数を抑えて除貝用樹脂板３０を爪２２に直接固定することができるから、除貝用樹脂板３０の組付性を向上させることができる。また、除貝用樹脂板３０は、バケット本体２０にボルト締めで組み付けられるから、容易に脱着することができる。これらのことから、ショベルバケット１０を掘削用と除貝用とに用いる場合においては、両作業を速やかに切り替えることができる。除貝用樹脂板３０にリブ３２を設けてバケット本体２０の爪２２にボルト締めで固定するのはこうした理由による。
【００１９】
ここで、本実施形態の構成要素と本発明の構成要素との対応関係を明らかにする。本実施形態のバケット本体２０が本発明のバケット本体に相当し、除貝用樹脂板３０がプレートに相当し、リブ３２がリブに相当し、ボルト穴３０ａが固定部（プレートの取付孔）に相当する。また、横リブ３２ａが第１のリブに相当し、縦リブ３２ｂが第２のリブに相当する。さらに、ローラー４２がローラーに相当し、スプリング４４がスプリングに相当し、ローラー機構４０がローラー機構に相当し、ボルト穴２２ａが爪の取付孔に相当する。
【００２０】
以上詳述した本実施形態のショベルバケット１０によれば、先端に掘削用の４本の爪２２が設けられたバケット本体２０に固定される除貝用樹脂板３０には、リブ３２が設けられると共に４本の爪２２にボルト２４を用いて組み付けられるボルト穴３０ａが形成されてなるから、除貝用樹脂板３０の補強用の部材を必要とすることなく組付対象の部品数を抑えて爪２２に直接固定することができ、除貝用樹脂板３０の組付性を向上させることができる。また、リブ３２は、横リブ３２ａおよび縦リブ３２ｂからなるため、一方向のみにリブが設けられるものに比して除貝用樹脂板３０の強度をより向上させることができる。さらに、横リブ３２ａおよび縦リブ３２ｂは、爪２２の当接面がはまるよう配置されているから、除貝用樹脂板３０の位置決めを容易に行なうことができる。
【００２１】
なお、本発明は上述した実施形態に何ら限定されることはなく、本発明の技術的範囲に属する限り種々の態様で実施し得ることはいうまでもない。
【００２２】
上述した実施形態では、除貝用樹脂板３０の下面にリブ３２を設け上面にはリブ３２を設けないものとしたが、上面にリブを設けるものとしてもよい。また、上面に除貝用樹脂板３０に作用する力を緩和するためのローラー機構４０を設けるものとしてもよい。その場合の変形例のショベルバケット１０Ａの側面図を図６に示す。なお、図６では、本実施形態と同じ構成要素には同じ図番を付し、その説明は省略する。図示するように、変形例のショベルバケット１０Ａは、ローラー機構４０が取り付けられた除貝用樹脂板３０Ａがバケット本体２０に固定されている。ローラー機構４０は、回転軸４２ａが除貝用樹脂板３０Ａの長辺の方向に平行となるよう配置されたローラー４２と、初期位置でローラー４２の一部を除貝用樹脂板３０Ａの外方に配置すると共にローラー４２を回転可能な状態で除貝用樹脂板３０の面上を長辺に直交する方向にスライドするよう付勢するスプリング４４と、スプリング４４を受けるスプリング受け４６とを備えている。これにより、除貝作業において、除貝用樹脂板３０Ａを壁面に当接させる際や壁面に押し付けながら下方へ向かって移動させる際に、壁面から除貝用樹脂板３０Ａに作用する力をローラー４２（スプリング４４）で受けることができ、除貝用樹脂板３０Ａに掛かる力を分散させることができる。このため、過大な力が除貝用樹脂板３０Ａに作用するのを防止することができ、除貝用樹脂板３０Ａが割れるおそれをさらに少ないものとすることができる。この結果、除貝用樹脂板３０Ａを補強用の部材を用いることなく爪２２に組み付けて組付性を向上させるものとした場合に、割れなどの問題が発生するのをより確実に防止することができる。なお、ローラー４２は、除貝用樹脂板３０の長辺方向の全長に亘って取り付けられるものとしてもよいし、部分的に複数箇所に取り付けられるものとしてもよい。
【００２３】
上述した実施形態では、バケット本体２０に４本の爪２２が設けられているものとしたが、これに限られず、２以上の複数であれば爪は何本であってもよい。
【００２４】
上述した実施形態では、爪２２の当接面がはまり込むようリブ３２の配置を定めるものとしたが、これに限られず、等間隔となるよう配置を定めるものとしてもよい。また、除貝用樹脂板３０の一部にバケット本体２０の開口部の縁にはまり込むスリットを形成し、これにより除貝用樹脂板３０の位置決めを行なうものなどとしてもよい。
【００２５】
上述した実施形態では、除貝用樹脂板３０は外周縁付きの樹脂製のプレートとしたが、これに限られず、外周に縁がないものとしてもよい。また、除貝用のプレートは、樹脂製に限られず、硬質ゴム製やプラスチック製，木製などとしてもよい。
【００２６】
上述した実施形態では、除貝用樹脂板３０が爪２２にボルト締めにより固定されるものとしたが、これに限られず、爪２２に固定されるものであればよく、接着や固定バンドなどにより固定されるものとしてもよい。ただし、除貝用樹脂板３０の脱着を容易なものとするため、本実施形態のようにボルト締めにより固定するものが好ましい。
【００２７】
上述した実施形態では、ショベルバケット１０の使用例として導水路の壁面の除貝作業を例示したが、これに限られず、壁面に付着した何らかの付着物を除去する作業としてもよいし、壁面だけでなく底面に付着した付着物を除去する作業としてもよい。また、付着物に限られず、浸食や経年変化などにより生じた凹凸を平らにならす作業などに使用するものとしてもよい。
【符号の説明】
【００２８】
１０，１０Ａ  ショベルバケット、２０  バケット本体、２２  爪、２２ａ  ボルト穴、２４  ボルト、２５  ナット、２６  ブラケット、２８  取付ピン、３０，３０Ａ  除貝用樹脂板、３０ａ  ボルト穴、３２  リブ、３２ａ  横リブ、３２ｂ  縦リブ、４０  ローラー機構、４２  ローラー、４２ａ  回転軸、４４  スプリング、４６  スプリング受け、１００  油圧ショベル、１０２  アーム。
【図１】
2012002011.tif 000003
【図２】
2012002011.tif 000004
【図３】
2012002011.tif 000005
【図４】
2012002011.tif 000006
【図５】
2012002011.tif 000007
【図６】
2012002011.tif 000008